(57)【特許請求の範囲】
【請求項１】
複数の編針が並設された針床を少なくとも前後一対に備え、各針床間で目移しが可能な
横編機を用いて編成される、ベース編地から分岐して形成したポケット部の上端の開口を
覆う蓋部を有する編地の編成方法において、
前記ポケット部の編成が完了した後に、ポケット部の上位のベース編地の編目列から分岐
して蓋部の始端部を形成する工程と、ベース編地を編成しつつ、ポケットの蓋部の編成を
行なう工程と、蓋部の終端部に解れ止めとしての伏目処理を行う工程、を含むことを特徴
とするポケットの開口を覆う蓋付きポケットを有する編地の編成方法。
【請求項２】
前記蓋部の編成は、ベース編地の編成に用いられる給糸口とは異なる給糸口を用いて行
うことを特徴とする請求項１に記載のポケットの開口を覆う蓋付きポケットを有する編地
の編成方法。
【発明の詳細な説明】
【技術分野】
【０００１】
本発明は、横編機を用いた、ポケットの開口を覆う蓋付きポケットを有する編地の編成方法に関する。
【背景技術】
【０００２】
従来、セーターやカーディガン等のニットウェアにポケットを付加することがある。本願出願人は、ニットウエアにポケットを一体に編成する方法を提案している。（特許文献１）また近年、ニットによるジャケット製品も多く見られるようになり、それに合わせて蓋付きタイプのポケットも要望されている。
【先行技術文献】
【特許文献】
【０００３】
【特許文献１】特許３４０６０９７号公報
【発明の概要】
【発明が解決しようとする課題】
【０００４】
しかしながら、横編機を用いて蓋付きポケットを編成するには、ポケットの開口を覆う蓋部、ベース編地（身頃）、ベース編地から分岐して編まれるポケット部、の各部が三層に重なった状態で並行して編成することも可能であるが、その場合、編成工程が複雑となるだけでなく、編地の引き下がりが困難になったり、生産性が低下するなどの問題が発生する。本発明の目的は、横編機を用いて蓋付きポケットを、容易に編成できる方法を提案することである。
【課題を解決するための手段】
【０００５】
複数の編針が並設された針床を少なくとも前後一対に備え、各針床間で目移しが可能な横編機を用いて編成される、ベース編地から分岐して形成したポケット部の上端の開口を覆う蓋部を有する編地の編成方法において、前記ポケット部の編成が完了した後に、ポケット部の上位のベース編地の編目列から分岐して蓋部の始端部を形成する工程と、ベース編地を編成しつつ、ポケットの蓋部の編成を行なう工程と、蓋部の終端部に解れ止めとしての伏目処理を行う工程、を含むことを特徴とする。
【０００６】
前記蓋部の編成は、ベース編地の編成に用いられる給糸口とは異なる給糸口を用いて行うことを特徴とする。
【発明の効果】
【０００８】
本発明では、ポケットの開口を覆う蓋部の編成を、ポケット部の編成が終了した後に行うので編成工程が複雑にならず、また蓋部がベース編地を分岐後、ベース編地と繋がった状態で編成を行うことで、ベース編地の下方への引き下げと連動でき、編地の浮き上がり等もなく、編成も容易となる。
【図面の簡単な説明】
【０００９】
【図１】本発明の実施例である蓋付きポケットを有する編地の編成完了後の概略図である。
【図２】本発明の実施例である蓋付きポケットを有する編地の編成時の概略図である。
【図３】本発明の実施例である蓋付きポケットを有する編地のポケット部の編成図である。
【図４】図３に続くポケット部の編成図である。
【図５】本発明の実施例である蓋付きポケットを有する編地の蓋部の編成図である。
【図６】図５に続く蓋部の編成図である。
【発明を実施するための形態】
【００１０】
以下、本発明の実施例である蓋付きポケットを有する編地１について説明する。図１と図２では、蓋部５の状態が異なる。図１は編成完了後のポケットの蓋部の状態を示し、蓋部５が垂下してポケット開口６を覆った状態を示す。図２は編成時の状態を示し、蓋部５が上下を逆にした（蓋部の表裏が逆転した）状態を示す。使用する横編機は、前後一対の針床を備えた２枚ベッド横編機であり、後針床が前針床に対してラッキング可能で、針床の上方に複数の給糸口を有する。
【００１１】
図３〜図６の編成図では、図中左側の数字は編成ステップ（Ｓ）を示し、左右方向の矢印は編成方向を、上下方向の矢印は目移し方向を示す。ＦＢは前針床を、ＢＢは後針床を示す。大文字のＡ〜ＸはＦＢの編針を、小文字のａ〜ｘはＢＢの編針を示す。また、黒丸印はその編成ステップで形成される編目を、２重の丸印は重ね目を、Ｖの印はタックを示す。尚、その編成ステップの編成に関係せず、編針に係止されたままの編目（白丸印）については一部を除いて図示を省略している。なお編成図は、説明の便宜上、針数を実際の編成よりも少なくしている。
【実施例】
【００１２】
図１及び図２は、蓋付きポケットを有する編地１を示す概略図である。図１の（ａ）は、正面から見た編地１の編成完了後の概略図であり、図１の（ｂ）は、２点鎖線Ｙ−Ｙ矢視方向の断面構造を示した図である。図２は編成時の状態を示し、図２の（ａ）は、正面から見た編地１の編成時の概略図であり、図２の（ｂ）は、２点鎖線Ｙ−Ｙ矢視方向の編地の断面構造を示した図である。
【００１３】
本実施例で編成されるベース編地２は、平編みとする。図２に示すように矢印Ｗの方向に編成されるベース編地２に対し、分岐部３では公知の割増やし編成で増し目を行い、ポケット部４の始端部を形成する。以降、ベース編地２とポケット部４を編成する。
【００１４】
図３および図４は、蓋付きポケットを有する編地１の編成図で、図２の（ａ）に示す２点鎖線Ａ−Ａの位置で係止する編目の状態（Ｓ１）とそれに続く編成図である。Ｓ１では、ベース編地２の編目列として、ＦＢの１針置きの編針Ｗ〜Ａに編目が係止され、左方向に向けて新たな編目を形成する。Ｓ２では、右向きにＳ１と同じ編針で新たな編目を形成する。
【００１５】
Ｓ３では、ベース編地２の編目列にポケット部４の始端としての分岐部３が形成される。Ｓ１と同じ編針Ｗ〜Ａに新たな編目を形成する。但し、編針Ｑ，Ｏ，Ｍ，Ｋ，Ｉ，Ｇで割増やし編成を行い対向するＢＢの編針ｑ，ｏ，ｍ，ｋ，ｉ，ｇに増し目１０を形成する。Ｓ４では、右向きにＦＢの１針置きの編針Ａ〜Ｑで編目を形成するとともに、ＢＢの編針ｇ，ｉ，ｋ，ｍ，ｏ，ｑに係止した増し目１０を、ＢＢの編針ｈ，ｊ，ｌ，ｎ，ｐ，ｒに移動する。編針Ｇ，Ｉ，Ｋ，Ｍ，Ｏ，Ｑで形成する編目は、ポケット部４となる。またＳ５では、左向きにＦＢの編針Ｓでタック編成を行い、ＢＢの編針ｒ，ｐ，ｎ，ｌ，ｊ，ｈで新たな編目を形成する。
【００１６】
Ｓ６では、右向きにＦＢの編針Ｅでタック編成を行い、ＢＢの編針ｈ，ｊ，ｌ，ｎ，ｐ，ｒとＦＢの編針Ｓ，Ｕ，Ｗで新たな編目を形成するＳ７では、左向きにＦＢの編針Ｗ〜Ａにベース編地２の新たな編目を形成する。Ｓ４〜Ｓ７の編成で、ベース編地２とポケット部４を一体に形成できる。この編成を繰り返す回数を調整すれば、ポケットの深さを調整できる。Ｓ８では、右向きにＦＢの編針Ａ〜Ｗにベース編地２の新たな編目を形成する。
【００１７】
図４はポケット部の終端部の伏目処理を示す。Ｓ９では、左向きにＦＢの編針Ｗ，Ｕ，Ｓ，Ｑ，Ｏで新たな編目を形成し、ＦＢの編針Ｑ，Ｏの編目を目移しで編針Ｏ，Ｍに移動する。ここで、編針Ｍでは、編目が重ね目となる。Ｓ１０では、給糸口１８を右向きに移動した後、左向きにＦＢの編針Ｏ，Ｍで新たな編目を形成し、編針Ｏ，Ｍの編目を目移しで編針Ｍ，Ｋに移動する。以降、Ｓ１０と同様の編成を２針づつ左方向にずらしながら、Ｓ１３までのステップを３回繰り返す。Ｓ１４では、左方向にＦＢの編針Ｅ，Ｃ，Ａに新たな編目を形成し、ＦＢの編針Ｑから編針Ｇまでの伏目処理によりポケット部４の編成を完了する。
【００１８】
図５および図６は、蓋部５の編成図を示す。図２の（ａ）に示す２点鎖線Ｂ−Ｂの位置で係止する編目の状態（Ｓ1）とそれに続く編成図である。
【００１９】
給糸口は、ベース編地２と蓋部５を別々に編成する為、２つ以上を必要となる。図５のＳ１では、ベース編地２の編目が、ＦＢの１針置きの編針Ａ〜Ｗに係止し、その編目に新たな編目を形成する。Ｓ２では、ベース編地２から分岐して蓋部５を形成する。新たな給糸口１９を用い、ＦＢの１針置きの編針Ａ〜Ｑで新たな編目を形成する。但し、編針Ｇ，Ｉ，Ｋ，Ｍ，Ｏ，Ｑで割増やし編成を行い対向するＢＢの編針ｇ，ｉ，ｋ，ｍ，ｏ，ｑに増し目１１を形成する。割増やし編成に代えて、インターロック編成や掛け目による増し目でもよい。ＦＢの編針Ｇ，Ｉ，Ｋ，Ｍ，Ｏ，Ｑに形成した編目が蓋部５となる。ここでは図３のポケット部４と同じ編幅としたが、それより広くてもよい。また、蓋部５は、編成完了後には図１の状態となるため裏目で編成する。なお、ベース編地２との前後の位置関係により、蓋部５は、ＦＢの編針に係止しておき、編成する際に目移しを行いＢＢの編針で編成を行う。
【００２０】
Ｓ３では、編目１１に続けてベース編地２を編成する。蓋部５との前後の位置関係により、蓋部５と並行して編成するベース編地２は、編成しない時にはＢＢの編針に係止しておき、編成する際に目移しを行ってＦＢの編針で編成を行う。ＢＢの編針ｇ，ｉ，ｋ，ｍ，ｏ，ｑに係止する編目を、ＦＢの編針Ｈ，Ｊ，Ｌ，Ｎ，Ｐ，Ｒに目移しした後、給糸口１８を用いて右方向にＦＢの編針Ａ，Ｃ，Ｅ，Ｈ，Ｊ，Ｌ，Ｎ，Ｐ，Ｒに新たな編目を形成する。Ｓ４では、ＦＢの編針Ｈ，Ｊ，Ｌ，Ｎ，Ｐ，Ｒに係止する編目をＢＢの編針ｈ，ｊ，ｌ，ｎ，ｐ，ｒに目移しする。また、ＦＢの編針Ｇ，Ｉ，Ｋ，Ｍ，Ｏ，Ｑに係止する蓋部５に裏目を編成する為に、ＢＢの編針ｇ，ｉ，ｋ，ｍ，ｏ，ｑに目移し、給糸口１９を用いて左方向に新たな編目を形成する。
【００２１】
Ｓ５では、Ｓ４で新たな編目を形成したＢＢの編針ｇ，ｉ，ｋ，ｍ，ｏ，ｑに係止する編目を、ＦＢの編針Ｇ，Ｉ，Ｋ，Ｍ，Ｏ，Ｑに目移しして戻すとともに、給糸口１８を用いてＦＢの編針Ｓ,Ｕ,Ｗに新たな編目を形成する。Ｓ６では、ＢＢの編針ｒ，ｐ，ｌ，ｎ，ｊ，ｈに係止する編目をＦＢの編針Ｒ，Ｐ，Ｎ，Ｌ，Ｊ，Ｈに目移しする。その後、給糸口１８を左向きにして、ＦＢの編針Ｗ,Ｕ, Ｓ，Ｒ，Ｐ，Ｎ，Ｌ，Ｊ，Ｈに新たな編目を形成する。Ｓ７では、ＦＢの編針Ｇ，Ｉ，Ｋ，Ｍ，Ｏ，Ｑに係止した編目を、ＢＢの編針ｇ，ｉ，ｋ，ｍ，ｏ，ｑに目移しし、給糸口１９を用いて右方向に新たな編目を形成する。Ｓ８では、給糸口１８を用いてＦＢの編針Ｅ，Ｃ，Ａに新たな編目を形成する。Ｓ３〜Ｓ８では、給糸口１８、１９を用い、ベース編地２と蓋部５を形成する。この編成を繰り返す回数を調整することで、蓋部５の長さを調整できる。
【００２２】
図６のＳ９は、蓋部５の終端部７で編幅を減らして両端部の角を取る。Ｓ８の終了後、ＢＢの編針ｉ，ｋ，ｍ，ｏに係止する編目をＦＢの編針Ｉ，Ｋ，Ｍ，Ｏに目移しを行い、ＢＢの編針ｇ，ｑに係止する編目をそれぞれ編針Ｉ，Ｏに目移しを行って重ね目を形成する。本実施例では、説明の便宜上、蓋部５の編幅が狭く、Ｓ９による減らし編成は１回のみであった。編幅がもっと広い場合には複数回の減らし編成を行って蓋部５のデザインを変更することができる。  
【００２３】
Ｓ１０では、給糸口１９を左向きに移動しＦＢの編針Ｏ，Ｍで新たな編目を形成し、編針Ｏ，Ｍの編目を目移しで編針Ｍ，Ｋに移動する。以降、Ｓ１０と同様の編成を２針づつ左方向にずらしながら、Ｓ１２までのステップを２回繰り返し、伏目処理により蓋部５の編成を完了する。伏目処理はこれに限定されず、公知のものを様々な方法で実施できる。
【００２４】
上述した実施例ではベース編地２と蓋部５の編成を並行して進めたが、どちらか一方を先行して編成しても良い。
【符号の説明】
【００２５】
１  編地
２  ベース編地
４  ポケット部
５  蓋部
１０，１１  増し目
【図１】
0005719570.tif 000002
【図２】
0005719570.tif 000003
【図３】
0005719570.tif 000004
【図４】
0005719570.tif 000005
【図５】
0005719570.tif 000006
【図６】
0005719570.tif 000007